【事件の表示】
　平成　４年特許願第２３１８９５号「染色物」拒絶査定に対する審判事件［平成　６年　３月２２日出願公開、特開平　６−　８１２８０］について、次のとおり審決する。
【結　論】
　本件審判の請求は、成り立たない。
【理　由】
１．本願は、平成４年８月３１日の出願であつて、その請求項１に係る発明は、願書に添付した明細書及び図面の記載からみて、特許請求の範囲の請求項１に特定された次のとおりのものである。
　「【請求項１】表面を昇華性染料で染色したプラスチック基材の表面に、少なくとも、紫外線吸収剤とガラス転移点が５０℃以上の熱可塑性樹脂からなる接着層を介して、ホログラム形成層よりも屈折率の大きい透明薄膜層、ホログラム形成層、および保護層がこの順に積層されてあって、該保護膜は熱可塑性樹脂と耐摩擦剤とを含む混合物であり且つ紫外線吸収剤は添加されていないことを特徴とする染色物。」
２．これに対して、前置審査における拒絶の理由に引用した特開平４−１４２９８７号公報（以下、第１引用例という。）には、「（１）基材フイルム上に透明樹脂層を剥離可能に設け、更にその表面に感熱接着剤層を設けてなる熱転写カバーフイルムにおいて、上記感熱接着剤層が耐光化剤を含有することを特徴とする熱転写カバーフイルム。
（２）耐光化剤が紫外線吸収剤、酸化防止剤又は光安定化剤である請求項１に記載の熱転写カバーフイルム。
（３）感熱接着剤層がガラス転移温度（Ｔｇ）４０〜７５℃の樹脂からなる請求項１に記載の熱転写カバーフイルム。」（特許請求項１〜３）、「この様な熱転写フイルムは大別すると、・・・、加熱によって熱転写層中の染料が昇華（熱移行）して染料のみが画像状に被熱転写材に熱転写する、所謂昇華タイプの熱転写フイルムとに大別される。以上の如き熱転写フイルムで、身分証明書等のＩＤカードを作成する場合、・・・昇華転写型の熱転写フイルムの場合には、顔写真等の階調性画像を形成することが出来るが、形成された画像は通常の印刷インキとは異なり、ビヒクルが無い為、耐光性、耐候性、耐摩擦性等の耐久性に劣るという問題がある。・・・この方法によれば、優れた耐久性の画像が提供されるが、上記耐光化剤等は画像の最表面に存在する為、長期間の間には環境の影響を受け経時的に耐久性が低下するという問題があった。」（第１頁右欄第１９行〜第２頁右上欄第２行）、「耐光化剤が含有される層を接着剤層とすることにより、上記耐光化剤は転写後は透明樹脂層によってカバーされているので、環境の影響が少なく、その分長期間それらの機能を発揮することが出来る。
（好ましい実施態様）
次に好ましい実施態様を図解的に示す添付図面を参照して本発明を更に具体的に説明する。第１図は本発明の好ましい１実施態様の熱転写カバーフイルムの断面を図解的に示す図であり、この実施例の熱転写カバーフイルムは、基材フイルム１上に透明樹脂層２が剥離可能に設けられ、更にその上の感熱接着剤層５が設けられている。」（第２頁右上欄第１５行〜左下欄第８行）、「上記基材フイルム上に設ける透明樹脂層２は、耐摩擦性、耐薬品性、透明性、硬度等に優れた種々の樹脂、例えば、ポリエステル樹脂、ポリスチレン樹脂、アクリル樹脂、ポリウレタン樹脂、アクリルウレタン樹脂、これらの樹脂のシリコーン変性樹脂及びこれらの各樹脂の混合物等が挙げられる。これらの樹脂は透明性に優れているが、比較的強靱な被膜を形成する傾向があるので、転写時における膜切れが十分とは言えないので、これらの透明樹脂にシリカ、アルミナ、炭酸カルシウム、プラスチックピグメント等の透明性の高い微粒子やワックス等を樹脂の透明性を害さない程度に添加してもよい。」（第２頁右下欄第１８行〜第３頁左上欄第１０行）、「更に上記の透明樹脂層の表面には、これらの層の転写性を良好にする為に、感熱接着剤層５を設ける。これらの感熱接着剤層は、例えば、アクリル樹脂、ポリ塩化ビニル樹脂、ポリ酢酸ビニル樹脂、塩化ビニル・酢酸ビニル共重合樹脂、ポリエステル樹脂等の如く熱時接着性の良好な樹脂の溶液を塗布及び乾燥することによって、好ましくは０.１〜１０μｍ程度の厚みに形成する。好ましい感熱接着剤は、Ｔｇが４０〜７５℃、更に好ましくはＴｇ＝６０〜７０℃の熱可塑性樹脂であり、又、重合度が５０〜３００、更に好ましくは５０〜２５０のポリ塩化ビニル樹脂、ポリ酢酸ビニル樹脂、塩化ビニル・酢酸ビニル共重合樹脂である。上記の感熱接着剤層に添加する耐光化剤とは、光エネルギー、熱エネルギー、酸化作用等、染料を変質或いは分解する作用を吸収又は遮断して染料の変質や分解を防止出来る薬剤であり、具体例としては従来合成樹脂の添加剤等として知られている酸化防止剤、紫外線吸収剤、光安定剤が挙げられる。」（第３頁右上欄第１３行〜左下欄第１３行）、及び「又、昇華転写画像及び/又は溶解転写タイプ転写画像は、いずれの被転写材上に形成されたものでもよいが、本発明において特に好ましいのは、ポリエステル樹脂や塩化ビニル樹脂等からなるカード基材に形成された画像である。勿論、これらのカード基材には、エンボス、サイン、ＩＣメモリー、磁気層、他の印刷等が設けられていてもよいし、カバーフイルム転写後にエンボス、サイン、磁気層等を設けることも可能である。上記本発明の熱転写カバーフイルムを用いるカードの製造例を第２図を参照して説明する。先ず、カード基材６の表面に、昇華型熱転写シートのイエロー染料層を重ね、色分解信号に従って作動するサーマルプリンターによりイエロー画像７Ｙを転写する。同様に同一領域にマゼンタ画像７Ｍ及びシアン画像７Ｃを転写して所望のカラー画像７を形成する。・・・更に本発明の熱転写カバーフイルムを用いて上記カラー画像７及び/又は文字等の画像８上に透明樹脂層を転写して保護層２を形成する。この様にして所望のカードが得られる。」（第４頁右上欄第１４行〜左���欄第１８行）との記載があり、結局、表面を昇華性染料で染色したプラスチックカード基材６の表面に、少なくとも、紫外線吸収剤とガラス転移点が４０〜７５℃、更に好ましくは６０〜７０℃の熱可塑性樹脂からなる接着層を介して、透明保護層２が積層されるカードが記載されている。
　同じく引用した実願昭６０−１００６０１号＜実開昭６２−９２７６号＞のマイクロフイルム（以下、第２引用例という。）には、「本考案は証明書、証券等の表面の一部に転写して使用し、」（第２頁第２〜３行）、「第１図は本考案のホログラム転写シートＡの一実施態様を示すものであって、上面側から支持体１、剥離保護層２、ホログラム形成層３、反射性金属薄膜４、脆質層５、および接着剤層６が順次積層されており、このホログラム転写シートＡは接着剤層６が被着体の表面に接触するようにして重ね、通常は加熱および加圧を行なって接着剤層６を被着体に接着させ、その後、支持体１を剥離する。」（第３頁第１９行〜第４頁第６行）、「剥離性支持体１には、必要に応じて転写後の転写された層の露出面を保護するための保護層２を設ける。保護層２を構成する材質としては種々の合成樹脂が使用でき、用途に応じて耐摩耗性、耐汚染性、もしくは耐溶剤性等の性能を考慮して選択する。」（第５頁第１１〜１７行）、「ホログラム形成層３とは異なる屈折率を持つ物質の連続薄膜を設けても、このような膜自体は透明であるにも拘らず、反射性金属薄膜層として使用できる。このうち屈折率がホログラム形成層より大きいものとしては（以下、材質名の右にカッコ書きで屈折率：ｎを付記する）、Ｓｂ２Ｓ３（ｎ＝３.０）、Ｆｅ２Ｏ３（ｎ＝２.７）、ＴｉＯ２（ｎ＝２.６）、ＣｄＳ（ｎ＝２.６）、・・・連続薄膜はその屈折率がホログラム形成層３の屈折率よりも０.３以上大きいことが好ましく、より好ましくは０.５以上大きいことである。」（第１６頁第１〜１７行）、及び「又、ホログラム形成層２とは屈折率の異なる透明な合成樹脂の層を反射性金属薄膜層３に代用することもでき、具体的な合成樹脂として使用できるものは次のようなものである。・・・ポリスチレン（ｎ＝１.６０）、・・・、ポリエステル（ｎ＝１.５２〜１.５７）。なお、ホログラム形成層３を反射性金属薄膜層４を伴うことなく、単独で用いてもホログラムは視認可能であるので、反射性金属薄膜層４は省略しうる。」（第１９頁第１〜１９行）との記載がある。
３.そこで、本願請求項１に係る発明と第１引用例記載のものとを対比すると、本願請求項１に係る発明の「基材」、「接着層」、「薄膜層」、「染色物」は、夫々第１引用例記載のものの「カード基材６」、「感熱接着剤層５」、「保護層２」、「カード」に相当するから、両者は、表面を昇華性染料で染色したプラスチック基材の表面に、少なくとも、紫外線吸収剤とガラス転移点が所定の温度範囲の熱可塑性樹脂からなる接着層を介して、透明薄膜層が積層される染色物で一致し、
Ａ所定の温度範囲が、本件請求項１に係る発明は、５０℃以上であるのに対して、第１引用例記載のものは、４０〜７５℃、更に好ましくは６０〜７０℃である点、
Ｂ本件請求項１に係る発明は、薄膜層の上に、ホログラム形成層、および保護膜がこの順に積層されるのに対して、第１引用例記載のものには、そのような記載が無い点、
Ｃ本件請求項１に係る発明は、薄膜層がホログラム形成層よりも屈折率が大きいのに対して、第１引用例記載のものには、そのような記載が無い点、
Ｄ本件請求項１に係る発明は、保護膜が熱可塑性樹脂と耐摩擦剤とを含む混合物であり且つ紫外線吸収剤が添加されていないのに対して、第１引用例記載のものには、そのような記載が無い点で相違する。
４.そこで先ず、相違点Ａについて検討すると、第１引用例記載のものの４０〜７５℃は、５０℃以上を含むから、相違点Ａは、第１引用例に記載されている。
　次に、相違点Ｂについて検討すると、第１引用例には、「カード基材には、エンボス、サイン、ＩＣメモリー、磁気層、他の印刷等が設けられていてもよいし、カバーフイルム転写後にエンボス、サイン、磁気層等を設けることも可能である。」との記載があり、カバーフイルム転写後の保護層２の上に更に層を設けることが示唆されている。
一方、第２引用例には、反射性金属薄膜層４の上にホログラム形成層３、その上に剥離保護層２を積層すること、さらには、反射性金属薄膜４は、透明な合成樹脂で代用でき、剥離保護層２は、転写された層の露出面を保護するためのものであることが開示されている。
　そして、第１引用例は、身分証明書等のＩＤカード、第２引用例は、証明書、証券等と非常に近似した技術分野に属するものであり、しかも、本件請求項１に係る発明に記載のプリペイドカードや身分証明カード等の情報記録カードおよびＩＤカード等にも非常に近接しているから、第１引用例記載の保護層２の上に第２引用例記載のホログラム形成層３、その上に剥離保護層２を積層して、相違点２の構成を得ることは、当業者が容易に推考できたものと認められる。
　さらに、相違点Ｃについて検討すると、第２引用例記載の反射性金属薄膜層４は、ホログラム形成層２よりも屈折率が大きいから、相違点Ｃは、第２引用例に記載されている。
　最後に、相違点Ｄについて検討すると、第２引用例には、剥離保護層２の好ましい例として、ポリメチルメタメタクリレート樹脂とポリエチレンワックスとの混合物が記載され、しかも、紫外線吸収剤を添加するとの記載は見あたらないから、相違点Ｄは、第２引用例に開示されている。
　なお、第１引用例には、耐光化剤等を最表面に存在させると、長期間の間には環境の影響を受け経時的に耐久性が低下するから、接着剤層に含有させ、耐光化剤を透明樹脂層によってカバーさせた旨の記載があるから、第２引用例において最表面となる剥離保護層２に紫外線吸収剤を添加することはなく、添加するなら接着剤層６になる。
５．したがつて、本願請求項１に係る発明は、第１引用例及び第２引用例に基づいて当業者が容易に発明をすることができたものと認められるので、本願請求項１に係る発明は、特許法第２９条第２項の規定により特許を受けることができない。
　よつて、結論のとおり審決する。